(57)【特許請求の範囲】
【請求項１】
胴体部と袖部とを有する白衣本体の胴体部の内側に縫合されて白衣本体の開襟部を被覆する上部部材を備え、
前記上部部材は、ワイシャツ状の襟部と、該襟部の両側に前記白衣本体の袖部と胴体部との境界まで伸びて前方下方に延伸される前方部と、該襟部の両側に前記白衣本体の袖部と胴体部との境界まで伸びて後方下方に延伸される後方部とを有し、
前記縫合は、前記前方部及び前記後方部の左右端及び下端において行われたものであることを特徴とする、白衣。
【請求項２】
前記後方部の左右端は、垂直方向に前記白衣本体の袖部の付根の縦幅以下の長さであることを特徴とする、請求項１に記載の白衣。
【請求項３】
前記前方部の下端の中央に、５０ｍｍ以上の横幅の、前記白衣本体と前記上部部材の縫合されていないネクタイ挿入口を有することを特徴とする、請求項１又は２に記載の白衣。
【請求項４】
前記開襟部の下方に前記白衣本体の前方を係止するボタンを有することを特徴とする、請求項１〜３のいずれか１項に記載の白衣。
【請求項５】
前記開襟部の下方に前記白衣本体の前方を係止するボタンを有さず、プルオーバ形式のものであることを特徴とする、請求項１〜３のいずれか１項に記載の白衣。
【発明の詳細な説明】
【技術分野】
【０００１】
本発明は、医師が着用する白衣に関する。
【背景技術】
【０００２】
医師（歯科医師を含む、以下同じ）は、診察や治療の際に白衣を着用していることが多い。多くの場合、医師は、ワイシャツを着用し、ネクタイを締め、その上に（又はその上のジャケットを着用してさらに上に）白衣を着用する。ワイシャツとネクタイによって折り目正しい整然とした服装の印象を与え、患者がそれを期待することも多いためである。
【０００３】
一方、ワイシャツを着用し、その上に（又はその上のジャケットを着用してさらに上に）白衣を着用することは、医師の体の動きを不自由にしていた。ワイシャツ（又はジャケット）と白衣とが接触する箇所における摩擦により、医師の体の動きに抵抗する力が発生する。医師は、抵抗力を不快に感じ、抵抗力に対する力を必要とするために疲労を得る。
【０００４】
整然とした服装の印象を与え、かつ、医師の体の動きを不自由にしないためには、例えば特許文献１に開示された着脱式交換襟と同様に、ワイシャツのうち白衣の首元（いわゆるVゾーン）から視認される部分のみを部材として用意し、その部材を白衣本体に付着すればよいようにも思える。しかし、この方法の場合には、部材と白衣本体との付着部において、衣服の動きが不自然になってしまう。具体的には、ワイシャツを着用しその上に白衣を着用する場合には、医師が体を前傾させたときに白衣が垂下して白衣とワイシャツとの間に空隙ができる。部材と白衣本体とを付着させるとこの空隙が構成されないため、不自然である。
【先行技術文献】
【特許文献】
【０００５】
【特許文献１】特開２００７−０７０７８３号公報
【発明の概要】
【発明が解決しようとする課題】
【０００６】
本発明は、ワイシャツの首部を含んだ整然とした服装の印象を与える白衣であって、医師の体の動きを不自由にすることが少なく、衣服の動きが不自然にならないものを提供することを課題とする。
【課題を解決するための手段】
【０００７】
本発明の白衣は、
胴体部と袖部とを有する白衣本体の胴体部の内側に縫合されて白衣本体の開襟部を被覆する上部部材を備え、
前記上部部材は、ワイシャツ状の襟部と、該襟部の両側に前記白衣本体の袖部と胴体部との境界付近まで伸びて前方下方に延伸される前方部と、該襟部の両側に前記白衣本体の袖部と胴体部との境界付近まで伸びて後方下方に延伸される後方部とを有し、
前記縫合は、前記前方部及び前記後方部の左右端及び下端において行われたものであることを特徴とする。
【０００８】
上部部材がワイシャツのように見える。ワイシャツの首部を含んだ整然とした服装の印象を与える。
白衣本体の襟の箇所では上部部材と白衣本体とが縫合されていないので、医師が体を前傾させたときに白衣本体が垂下して白衣本体とワイシャツとの間に空隙ができる。衣服の動きが不自然にならない。
上部部材と白衣本体との摩擦は、前方部、後方部にのみ生じる。白衣本体の袖部及び上部部材のない下方では生じない。しかも、縫合されていることにより上部部材と白衣本体との相対位置が固定され、上部部材と白衣本体とが異方向に移動することに起因する摩擦が小さい。医師の体の動きの不自由が減少する。
【０００９】
本発明の白衣は、
前記後方部の左右端は、垂直方向に前記白衣本体の袖部の付根の縦幅以下の長さであることを特徴とする。
【００１０】
後方部と白衣本体との摩擦によって肩甲骨の動き、及び背筋の動きに対する抵抗力を生じることがない。医師の体の動きの不自由がさらに減少する。
【００１１】
本発明の白衣は、
前記前方部の下端の中央に、５０ｍｍ以上の横幅の、前記白衣本体と前記上部部材の縫合されていないネクタイ挿入口を有することを特徴とする。
【００１２】
ネクタイを自然に着用することができる。
【００１３】
本発明の白衣本体は、
前記開襟部の下方に前記白衣本体の前方を係止するボタンを有することを特徴とする。
【００１４】
広く知られた前開きの白衣である。
【００１５】
本発明の白衣は、
前記開襟部の下方に前記白衣本体の前方を係止するボタンを有さず、プルオーバ形式のものであることを特徴とする。
【００１６】
プルオーバ形式の白衣もある。
【発明の効果】
【００１７】
ワイシャツの首部を含んだ整然とした服装の印象を与える白衣であって、医師の体の動きを不自由にすることがなく、衣服の動きが不自然にならないものを提供することが可能となる。
【図面の簡単な説明】
【００１８】
【図１】図１は、白衣を示す図である。（実施例１）
【図２】図２は、上部部材を示す図である。（実施例１、２）
【図３】図３は、ネクタイの着用を説明する図である。（実施例１、２）
【図４】図４は、白衣を示す図である。（実施例２）
【発明を実施するための形態】
【００１９】
以下、本発明の実施例を示す。
【実施例１】
【００２０】
図１は、白衣を示す図である。図１（Ａ）に正面から見た図、図１（Ｂ）に背面から見た図を示す。白衣１は、白衣本体２と上部部材３とを縫合したものである。白衣本体２は、胴体部２１及び袖部２２からなる。（図１（Ａ）における一点鎖線は胴体部２１と袖部２２の境界のみを示す。何らかの物があることを必要としない。）上部部材３は、襟部３１、前方部３２及び後方部３３からなる。襟部３１は、ワイシャツの襟部の形状であり、図１（Ａ）に示すように、白衣１を着用すると、ワイシャツの上から白衣を着用したように見える。
【００２１】
白衣本体２と上部部材の縫合は、前方部３２及び後方部３３の左右端及び下端を、胴体部２１に縫合するものである。前方部３２及び後方部３３の左右端は胴体部２１と袖部２２の境界付近まで伸びている。縫合部４０は、胴体部と袖部の境界に、又は胴体部の前身頃と後身頃の境界にある、若しくは近接している。縫合部４０に表れる縫い目は、胴体部と袖部を、又は胴体部の前身頃と後身頃を縫い合わせたように見え（これらの縫い合わせに合わせて上部部材３を縫合してもよい）、不自然な外観とならない。
【００２２】
前方部３２の下端の前方縫合部４１においても縫合されている。ただし、前方部３２の下端の中央に、縫合のないネクタイ挿入口４２が設けられている。ネクタイ挿入口の横幅（図１（Ａ）にＷで示す。）は、ネクタイを上方から下方に通すため、ネクタイの横幅よりも大きい必要がある。５０ｍｍ以上であることが好ましい。
【００２３】
後方部３３の下端の後方縫合部４３においても縫合されている。ここで、後方部３３左右端の長さは袖部２２の付根の縦幅（図１（Ｂ）にＨで示す。）以下である。後方部３３は胴体部２１の肩の部分の形状に沿って湾曲するので、後方縫合部４３は、袖部２２の付根の下端よりも上方にある。後方縫合部４３よりも下方においては、後方部３３がなく、後方部３３（上部部材３）と胴体部２１（白衣本体２）との摩擦による抵抗力が発生しない。後方縫合部４３の位置に鑑みれば、医師の肩甲骨及び背筋については、その動作に対する抵抗力が発生しない。
【００２４】
また、袖部２２についても、上部部材３が存在しないので、医師の上腕の動作に対する抵抗力も発生しない。以上の、上腕、肩甲骨及び背筋のいずれの動作に対しても抵抗力が発生せず、医師の体の動きを不自然にすることがない。また、これらの抵抗力を補う力を脇腹部の筋肉から出して脇腹部の筋肉の疲労に繋がる可能性もない。
【００２５】
縫合部４０、前方縫合部４１及び後方縫合部４３のいずれも、上部部材３の襟部３１とは別の箇所に設けられている。襟部３１は、胴体部２１（白衣本体２）と縫合されていない。このため、医師が体を前傾させたときに襟部３１と胴体部２１との間に空隙ができるように胴体部２１が垂下して、自然に見える。
【００２６】
図２は、上部部材を示す図である。図２（Ａ）に正面から見た図、図２（Ｂ）に背面から見た図、図２（Ｃ）に斜視図を示す。図２（Ｃ）に示すように、上部部材３は、ワイシャツの襟部の形状である襟部３１と、ワイシャツ生地の前方部３２及び後方部３３とからなる。前方部３２と後方部３３とはそれらの上端（肩の箇所）が繋がっており、上部部材３全体としては、ワイシャツの一部分と同様である。
【００２７】
図２（Ａ）に示すように、前方部３２は、前開きのボタンを有している。これらのボタンを外して白衣１を着脱することができる。
【００２８】
図２（Ｂ）に示すように、後方部３３は、垂直方向に短い。図２（Ｂ）においてｈで示す左右端の長さは、Ｈ以下である。これにより、医師の肩甲骨及び背筋の動作に対する抵抗力（後方部３３と胴体部２１の摩擦によるもの）が発生しないようになっている。
【００２９】
図３は、ネクタイの着用を説明する図である。ネクタイ５は、前方部３２よりも垂直方向に長い。そこで、前方部３２の下端の中央に設けられた縫合のないネクタイ挿入口４２に、ネクタイを上方から下方に通す。
【００３０】
以上詳細に説明したように、本実施例の白衣１によれば、衣服の動きが不自然にならずに整然とした服装の印象を与えることができ、医師の体の動きを不自由にすることがない。
【実施例２】
【００３１】
本実施例は、プルオーバ形式の白衣を示すものである。白衣本体２の形状のみが実施例１と相違する。他は実施例１と同様であり、詳細な説明を省略する。実施例１において図２に示した上部部材の形状及びサイズ、図３に示したネクタイの着用については、本実施例は実施例１と同様である。
【００３２】
図４は、白衣を示す図である。白衣１は、首から被って着用するプルオーバ形式のものである。前方部３２の前開きのボタンを外して白衣１を着脱することができる。
【産業上の利用可能性】
【００３３】
ワイシャツの首部を含んだ整然とした服装の印象を与える白衣であって、医師の体の動きを不自由にすることがなく、衣服の動きが不自然にならないものである。多くの医師による利用が考えられる。
【符号の説明】
【００３４】
１    白衣
２    白衣本体
２１  胴体部
２２  袖部
３    上部部材
３１  襟部
３２  前方部
３３  後方部
４    縫合部
４１  前方縫合部
４２  ネクタイ挿入口
４３  後方縫合部
５    ネクタイ
【要約】      （修正有）【課題】ワイシャツの首部を含んだ整然とした服装の印象を与える白衣であって、医師の体の動きを不自由にすることが少なく、衣服の動きが不自然にならないものを提供する。【解決手段】胴体部と袖部とを有する白衣本体２の胴体部２１の内側に縫合されて白衣本体の開襟部を被覆する上部部材３を備える白衣を提供する。上部部材は、ワイシャツ状の襟部と、該襟部の両側に前記白衣本体の袖部２２と胴体部との境界まで伸びる肩部と、該襟部及び該肩部から前方下方に延伸される前方部と、該襟部及び該肩部から後方下方に延伸される後方部とを有する。前方部、後方部及び肩部の左右端、並びに、前記前方部及び前記後方部の下端において上部部材と白衣本体を縫合する。【選択図】図１【図１】
0005996029.tif 000002
【図２】
0005996029.tif 000003
【図３】
0005996029.tif 000004
【図４】
0005996029.tif 000005